(57)【要約】【課題】内部に筆記具を収納した状態でスタンドの形態にでき、かつ、構成が簡素な筆記具ケースを提供することである。【解決手段】本発明の筆記具ケースでは、ファスナーは、第１側面部の長手方向の中央部から底面部側の端部までの間にある第１地点から、第１側面部および天面部を経由し、第２側面部の長手方向の中央部から底面部側の端部までの間にある第２地点まで形成される。ファスナーの開状態において、正面部は、長手方向における中央部の屈曲領域を中心に屈曲可能である。筆記具ケースは、正面部を屈曲させた状態において天面部および底面部を載置面に接触させることでスタンド形態として使用可能である。筆記具ケースは、正面部を屈曲させた状態において背面部を載置面に接触させることで寝かせた形態として使用可能である。【選択図】図１
2018020968.tif 000002
【特許請求の範囲】
【請求項１】
ファスナーの閉状態では長尺状かつ箱状であり内部に筆記具の第１収納空間が形成され、ファスナーの開状態ではスタンド形態として使用可能である筆記具ケースであって、
前記ファスナーの閉状態において、前記筆記具ケースの長手方向で対向する底面部および天面部と、
前記ファスナーの閉状態において、前記長手方向と直交する平面内で前記第１収納空間を形成し、第１方向で対向する正面部および背面部と、前記第１方向と直交する第２方向で対向する第１側面部および第２側面部と、を備え、
前記ファスナーは、前記第１側面部の前記長手方向の中央部から前記底面部側の端部までの間にある第１地点から、前記第１側面部および前記天面部を経由し、前記第２側面部の前記長手方向の中央部から前記底面部側の端部までの間にある第２地点まで形成され、
前記ファスナーの開状態において、前記正面部は、前記長手方向における中央部の屈曲領域を中心に屈曲可能であり、
前記筆記具ケースは、前記正面部を屈曲させた状態において前記天面部および前記底面部を載置面に接触させることでスタンド形態として使用可能であり、前記正面部を屈曲させた状態において前記背面部を前記載置面に接触させることで寝かせた形態として使用可能である
ことを特徴とする筆記具ケース。
【請求項２】
請求項１に記載の筆記具ケースにおいて、
前記ファスナーは、前記天面部において、前記正面部側の縁部と前記背面部側の縁部との間であって前記正面部側の前記縁部および前記背面部側の前記縁部から離れた位置を通過し、
前記ファスナーの開状態では、前記天面部は、前記正面部に繋がり前記筆記具ケースのスタンド形態時に前記載置面に接触して前記筆記具ケースの自立を補助する第１天面部と、前記背面部の先端部から立ち上がり前記筆記具ケースの前記寝かせた形態時に前記筆記具が前記背面部の外側に飛び出ることを防ぐ第２天面部と、に別れる
ことを特徴とする筆記具ケース。
【請求項３】
請求項２に記載の筆記具ケースにおいて、
前記第１天面部は、芯材としての金属板を備えることを特徴とする筆記具ケース。
【請求項４】
請求項１に記載の筆記具ケースにおいて、
前記ファスナーは、前記天面部において、前記背面部側の縁部に沿って設けられ、
前記天面部は、芯材として金属板を備える
ことを特徴とする筆記具ケース。
【請求項５】
請求項１から請求項４のいずれか１つに記載の筆記具ケースにおいて、
前記正面部は、前記長手方向において前記屈曲領域を境界に、前記底面部側に位置する第１正面領域部と前記天面部側に位置する第２正面領域部とに別れ、
前記第１正面領域部および前記第２正面領域部の一方では、磁石と、前記磁石を収容する穴部を有する平板な芯材と、が表装材下にあり、
前記第１正面領域部および前記第２正面領域部の他方は、前記正面部が前記屈曲領域を中心に屈曲した時、前記磁石に吸着し前記第１正面領域部および前記第２正面領域部を留める鉄板が前記表装材下にある
ことを特徴とする筆記具ケース。
【請求項６】
請求項１から請求項５のいずれか１つに記載の筆記具ケースにおいて、
前記正面部は、前記長手方向において前記屈曲領域を境界に、前記底面部側に位置する第１正面領域部と前記天面部側に位置する第２正面領域部とに別れ、
前記第１正面領域部の内面および前記背面部の内面には第１面ファスナーが設けられ、
前記正面部を屈曲させた際に前記第１正面領域部および前記背面部の間に形成される第２収納空間を前記第２方向に仕切る仕切り部材を備え、
前記仕切り部材は、前記第２収納空間を仕切る仕切り部と、前記仕切り部に対して折り曲がった状態で前記第２収納空間に収納される腕部と、前記腕部に設けられ、前記第１面ファスナーと係合する第２面ファスナーとを備える
ことを特徴とする筆記具ケース。
【発明の詳細な説明】
【技術分野】
【０００１】
本発明は、筆記具スタンドとしても使用できる筆記具ケースに関する。
【背景技術】
【０００２】
ペンスタンドとしても使用できるペンケースが知られている（例えば、特許文献１）。特許文献１のペンケースでは、長手状で凹状の受皿状本体部の幅方向一端側に蓋体がヒンジを介して取り付けられている。蓋体を開くことで、ペンを受皿状本体部から取り出したり、ペンを受皿状本体部に収納したりできる。該ペンケースでは、蓋体を閉めた状態で、ペンケースの長手方向における蓋体の中央部を起点に、蓋体を構成する２つの蓋同士が重なる方向にペンケースを二つ折りできる。二つ折りにした状態でペンケースを立たせることで、分割されたペンケースのそれぞれに対してペンをさすことができ、ペンケースをペンスタンドとして使用できる。
【先行技術文献】
【特許文献】
【０００３】
【特許文献１】実開平６−８１３２７号公報
【発明の概要】
【発明が解決しようとする課題】
【０００４】
しかしながら、特許文献１のペンケースでは、ペンを収納した状態でペンケースを二つ折りしようとすると、ペンが引っ掛かってしまう。そのため、特許文献１のペンケースでは、ペンを取り出してペンケースをペンスタンドの形態にしてからでないと、ペンスタンドとして使用できないという問題がある。【０００５】
また、特許文献１のペンケースでは、二つ折りを可能とするために、蓋体を構成する２つの蓋をヒンジで接続しなければならず、二つ折りを可能とするために構成が複雑であるという問題もある。【０００６】
本発明の目的は、内部に筆記具を収納した状態でスタンドの形態にでき、かつ、構成が簡素な筆記具ケースを提供することである。
【課題を解決するための手段】
【０００７】
本発明の筆記具ケースは、ファスナーの閉状態では長尺状かつ箱状であり内部に筆記具の第１収納空間が形成され、ファスナーの開状態ではスタンド形態として使用可能である筆記具ケースであって、前記ファスナーの閉状態において、前記筆記具ケースの長手方向で対向する底面部および天面部と、前記ファスナーの閉状態において、前記長手方向と直交する平面内で前記第１収納空間を形成し、第１方向で対向する正面部および背面部と、前記第１方向と直交する第２方向で対向する第１側面部および第２側面部と、を備え、前記ファスナーは、前記第１側面部の前記長手方向の中央部から前記底面部側の端部までの間にある第１地点から、前記第１側面部および前記天面部を経由し、前記第２側面部の前記長手方向の中央部から前記底面部側の端部までの間にある第２地点まで形成され、前記ファスナーの開状態において、前記正面部は、前記長手方向における中央部の屈曲領域を中心に屈曲可能であり、前記筆記具ケースは、前記正面部を屈曲させた状態において前記天面部および前記底面部を載置面に接触させることでスタンド形態として使用可能であり、前記正面部を屈曲させた状態において前記背面部を前記載置面に接触させることで寝かせた形態として使用可能であることを特徴とする。【０００８】
本発明によれば、筆記具ケースの内部に筆記具を収納した状態でファスナーを開けて正面部を屈曲させることができる。この際、屈曲させた正面部に繋がる天面部が、底面部側に位置する。この天面部と底面部とを筆記具ケースの載置面に接触させることで、筆記具ケースは、上方に開口する起立状態となる。内部に収納されていた筆記具は、筆記具ケースに立てかけられた状態となる。使用者は、筆記具ケースに筆記具をさしたり、筆記具ケースから筆記具を抜いたりでき、筆記具ケースをスタンド形態として使用できる。このように、本発明では、内部に筆記具を収納した状態で筆記具ケースをスタンドの形態にできる。【０００９】
本発明によれば、筆記具ケースを筆記具スタンド形態として使用する際に、天面部が筆記具ケースの載置面に接触するので、筆記具ケースの起立状態を安定させることができる。【００１０】
本発明によれば、筆記具ケースは、箱状のケースにファスナーを設けただけなので、構成が簡素である。【００１１】
本発明によれば、背面部を載置面に置くことで、筆記具ケースを寝かせた形態でも使用できる。従って、本発明によれば、筆記具ケースを寝かせた形態と筆記具スタンド形態とで使い分けることができ、便利である。【００１２】
本発明では、前記ファスナーは、前記天面部において、前記正面部側の縁部と前記背面部側の縁部との間であって前記正面部側の前記縁部および前記背面部側の前記縁部から離れた位置を通過し、前記ファスナーの開状態では、前記天面部は、前記正面部に繋がり前記筆記具ケースのスタンド形態時に前記載置面に接触して前記筆記具ケースの自立を補助する第１天面部と、前記背面部の先端部から立ち上がり前記筆記具ケースの前記寝かせた形態時に前記筆記具が前記背面部の外側に飛び出ることを防ぐ第２天面部と、に別れることが好ましい。【００１３】
本発明によれば、ファスナーが天面部における前面部側の縁部と背面部側の縁部との間を通過するので、ファスナーの開状態では、天面部は、正面部に繋がる第１天面部と、背面部の先端部から立ち上がる第２天面部とに別れる。これにより、本発明によれば、筆記具ケースの寝かせた形態時に、第２天面部によって、筆記具が背面部の外側に飛び出ることを防ぐことができる。【００１４】
本発明では、第１天面部は、芯材としての金属板を備えることが好ましい。
本発明によれば、第１天面部の芯材を第１天面部の重りとして用いるので、スタンド形態における筆記具ケースの起立状態をより安定させることができる。  【００１５】
本発明では、前記ファスナーは、前記天面部において、前記背面部側の縁部に沿って設けられ、前記天面部は、芯材として金属板を備えることが好ましい。
本発明によれば、天面部の芯材を天面部の重りとして用いるので、スタンド形態における筆記具ケースの起立状態をより安定させることができる。  【００１６】
本発明では、前記正面部は、前記長手方向において前記屈曲領域を境界に、前記底面部側に位置する第１正面領域部と前記天面部側に位置する第２正面領域部とに別れ、前記第１正面領域部および前記第２正面領域部の一方では、磁石と、前記磁石を収容する穴部を有する平板な芯材と、が表装材下にあり、前記第１正面領域部および前記第２正面領域部の他方は、前記正面部が前記屈曲領域を中心に屈曲した時、前記磁石に吸着し前記第２正面領域部および前記第１正面領域部を留める鉄板が前記表装材下にあることが好ましい。【００１７】
本発明によれば、磁石および鉄板によって第１正面領域部および第２正面領域部を留めることができるので、スタンド形態時に、第１天面部または天面部が載置面にしっかりと接触する。そのため、本発明によれば、第１天面部または天面部によってケース本体部の起立状態をより安定させることができる。【００１８】
第１、第２正面領域部に設ける留め具を両方とも磁石にする構成では、製造工程にて両留め具の姿勢を、一方の留め具の正面部側の極性がＳ極となり、他方の留め具の正面部側の極性がＮ極となる姿勢にする必要がある。【００１９】
本発明によれば、留め具の一方が鉄板であるので、製造工程において、磁石の向きを規定することを不要にできる。本発明によれば、両留め具とも磁石にする構成に比べてコストダウンできる。【００２０】
磁石を芯材の上に配置する構成では表装材において磁石の配置部分が盛り上がってしまう。
本発明によれば、磁石を芯材の中に埋め込むので、磁石による表装材の盛り上がりを無くすことができ、意匠を良好にできる。【００２１】
本発明では、前記正面部は、前記長手方向において前記屈曲領域を境界に、前記底面部側に位置する第１正面領域部と前記天面部側に位置する第２正面領域部とに別れ、前記第１正面領域部の内面および前記背面部の内面には第１面ファスナーが設けられ、前記正面部を屈曲させた際に前記第１正面領域部および前記背面部の間に形成される第２収納空間を前記第２方向に仕切る仕切り部材を備え、前記仕切り部材は、前記第２収納空間を仕切る仕切り部と、前記仕切り部に対して折り曲がった状態で前記第２収納空間に収納される腕部と、前記腕部に設けられ、前記第１面ファスナーと係合する第２面ファスナーとを備えることが好ましい。【００２２】
本発明によれば、筆記具ケースをスタンド形態として使用する際に、筆記具ケース内に仕切り部材を設置することで、第１正面領域部および背面部の間に形成される第２収納空間を第２方向に仕切ることができる。本発明によれば、収納空間を仕切ることができ、使い勝手をよくできる。【００２３】
本発明によれば、第２収納空間を第２方向に仕切るので、ペンや定規、はさみ等の筆記具を倒れにくくできる。ここで、第２方向を長くする場合、筆記具が第２方向に倒れやすくなるところ、本発明によれば第２方向に長いワイドサイズの筆記具ケースであっても、仕切り部材によって筆記具を倒れにくくできる。
【図面の簡単な説明】
【００２４】
【図１】ファスナーの閉状態におけるペンケースの斜視図である。
【図２】ファスナーの閉状態におけるペンケースの正面図である。
【図３】ファスナーの閉状態におけるペンケースの背面図である。
【図４】ファスナーの閉状態におけるペンケースの右側面図である。
【図５】ファスナーの閉状態におけるペンケースの左側面図である。
【図６】ファスナーの閉状態におけるペンケースの平面図である。
【図７】ファスナーの閉状態におけるペンケースの底面図である。
【図８】底面部の構成を示す参考断面図である。
【図９】ペンケースを寝かせた使用形態を示す参考斜視図である。
【図１０】ファスナーの開状態におけるペンケースの斜視図である。
【図１１】ファスナーの開状態におけるペンケースの正面図である。
【図１２】ファスナーの開状態におけるペンケースの背面図である。
【図１３】ファスナーの開状態におけるペンケースの右側面図である。
【図１４】ファスナーの開状態におけるペンケースの左側面図である。
【図１５】ファスナーの開状態におけるペンケースの平面図である。
【図１６】ファスナーの開状態におけるペンケースの底面図である。
【図１７】ペンスタンド形態の参考斜視図である。
【図１８】ファスナーの閉状態におけるペンケースの斜視図である。
【図１９】ファスナーの閉状態におけるペンケースの右側面図である。
【図２０】ファスナーの閉状態におけるペンケースの平面図である。
【図２１】ファスナーの開状態におけるペンケースの斜視図である。
【図２２】ファスナーの開状態における寝かせた形態のペンケースの斜視図である。
【図２３】ファスナーの開状態におけるペンケースの平面図である。
【図２４】伸ばした状態の仕切り部材を示す斜視図である。
【図２５】折り曲げた状態の仕切り部材を示す斜視図である。
【図２６】ファスナーの開状態におけるペンケースの正面図である。
【発明を実施するための形態】
【００２５】
以下、各実施形態を図面に基づいて説明する。
（第１実施形態）
図１は、ファスナー４の閉状態におけるペンケース１（筆記具ケース）の斜視図である。図２は、ファスナー４の閉状態におけるペンケース１の正面図である。図３は、ファスナー４の閉状態におけるペンケース１の背面図である。図４は、ファスナー４の閉状態におけるペンケース１の右側面図である。図５は、ファスナー４の閉状態におけるペンケース１の左側面図である。図６は、ファスナー４の閉状態におけるペンケース１の平面図である。図７は、ファスナー４の閉状態におけるペンケース１の底面図である。
【００２６】
ペンケース１は、ファスナー４の閉状態では長尺状かつ箱状であり、内部に長尺状の第１収納空間Ｓ１（図１７参照）が形成される。ペンケース１は、第１収納空間Ｓ１にペンのほか、定規やはさみ等の小物類を収納できる。ペンケース１は、ファスナー４が開状態にある時には、図１７に示すように、ペンスタンド形態として使用可能である。なお、ファスナー４の閉状態とは、ペンケース１においてファスナー４を全閉した状態を指す。ファスナー４の開状態とは、ペンケース１においてファスナー４を全開した状態を指す。
【００２７】
ペンケース１は、一般的に、最も安定する姿勢で載置面に置かれることが多い。従って、ペンケース１は、背面部１４が下にくる寝かせた姿勢で載置面に置かれることが想定される。しかし、図１〜７のペンケース１の意匠と、図１０〜１６のペンスタンド形態のペンケース１の意匠とを対応させるため、図１〜７では、ペンケース１を、底面部１１を下にして立たせた姿勢で載置面に置かれたものとして描いている。
【００２８】
ペンケース１は、底面部１１、天面部１２、正面部１３、背面部１４、左側面部１５（第１側面部）、および右側面部１６（第２側面部）を備える。
【００２９】
底面部１１は、ペンスタンド形態時にペンケース１の載置面と接触する。底面部１１は、図８に示すように、表装材５１、内装材５２、および芯材５３を備える。表装材５１は、ペンケース１の外側に位置する。表装材５１として、柔軟な繊維材や樹脂材、皮を用いてもよい。内装材５２は、ペンケース１の内側に位置する。内装材５２として、柔軟な繊維材や樹脂材、皮を用いてもよい。芯材５３は、表装材５１および内装材５２の間に位置する。芯材５３として、発泡ウレタンシート等の発泡樹脂シートを用いてもよい。他の各部１２〜１６も、表装材５１、内装材５２、芯材５３を備える。
【００３０】
各部１１〜１６は、上記の構成により、可撓性を有しつつも定形性を有する。これにより、ペンケース１は、図１に示すように、ファスナー４が閉状態にある時に箱状の形状を保つ。また、ペンケース１は、図１７に示すように、ペンスタンド形態時に起立し、かつ背面部１４の全体が起立する。
【００３１】
図１に戻り、天面部１２は、ファスナー４が閉状態にある時に、ペンケース１の長手方向で底面部１１と対向する。天面部１２の芯材５３のみが金属板５３０（図４）となっており、天面部１２の重量が他の各部１１、１３〜１６よりも高められている。これにより、本実施形態では、ペンケース１のペンスタンド形態時に、天面部１２をペンケース１の載置面に安定した状態で接触させることができる。金属板５３０としては、鉄板を例示できる。
【００３２】
ファスナー４が閉状態にある時に、正面部１３におけるペンケース１の長手方向の一方の端部は底面部１１と繋がり、他方の端部は天面部１２と繋がる。同様に、ファスナー４が閉状態にある時に、背面部１４におけるペンケース１の長手方向の一方の端部は底面部１１と繋がり、他方の端部は天面部１２と繋がる。正面部１３および背面部１４は、ペンケース１の奥行き方向（第１方向）で対向する。ペンケース１の奥行き方向は、ペンケース１の長手方向と略直交する（交差する）。
【００３３】
ファスナー４を設けることにより、ペンケース１は、ケース本体部１００と、天面部１２を有する蓋部２００とに分かれる。
【００３４】
正面部１３において、ペンケース１の長手方向における中央部には、ペンケース１の幅方向に亘って縫い目１３２がある。正面部１３において、縫い目１３２から底面部１１までの間の部分が、ケース本体部１００に対応する第１正面領域部１３３となる。正面部１３において、縫い目１３２から天面部１２までの間の領域が、蓋部２００に対応する第２正面領域部１３４となる。正面部１３において、縫い目１３２よりも底面部１１側には、ペンケース１の幅方向に亘って縫い目１３１がある。
【００３５】
正面部１３は、ファスナー４の開状態において、縫い目１３２の部分を中心に屈曲可能である（図１７参照）。換言すると、正面部１３は、ペンケース１の長手方向における中央部を中心に屈曲可能である。
【００３６】
正面部１３では、縫い目１３１から底面部１１まで部分と、縫い目１３２から天面部１２まで部分とに、芯材５３が分離して設けられている。このように、本実施形態では、縫い目１３１、１３２の間の部分において、芯材５３を省略することで、蓋部２００を縫い目１３２の部分を中心に折り曲げやすくしている。
【００３７】
正面部１３の芯材５３を分離させた影響により、ペンケース１は、ファスナー４の閉状態において、直線状ではなく、縫い目１３２から天面部１２までの部分が若干下方を向くように曲がっている。従って、「ペンケース１の長手方向」とは、ペンケース１の延びる方向を意味し、必ずしも直線状の方向を意味するわけではない。
【００３８】
底面部１１から縫い目１３２までの長さは、ペンケース１のペンスタンド形態時に、第１正面領域部１３３にペンを立てかけることができる長さとなっている（図１７参照）。
【００３９】
第１正面領域部１３３および第２正面領域部１３４は、留め具１３５、１３６を備える。留め具１３５、１３６は、図１３に示すように、蓋部２００が縫い目１３２の部分を中心に底面部１１側に折り曲げられた際に、互いに重なる位置にある。留め具１３５、１３６は、底面部１１側に折り曲げられた蓋部２００の第２正面領域部１３４をケース本体部１００の第１正面領域部１３３に留める。
【００４０】
本実施形態では、留め具１３５、１３６は、磁石であり、第１正面領域部１３３および第２正面領域部１３４の内部にそれぞれ設けられる。具体的に、留め具１３５、１３６は、芯材５３における表装材５１側の面に貼付される。留め具１３５、１３６は、磁石でなくてもよく、例えば第１正面領域部１３３および第２正面領域部１３４の外面に設けられた面ファスナーやホックであってもよい。
【００４１】
ファスナー４が閉状態にある時に、左側面部１５におけるペンケース１の長手方向の一方の端部は底面部１１と繋がり、他方の端部は天面部１２と繋がる。ファスナー４が閉状態にある時に、左側面部１５におけるペンケース１の奥行き方向の一方の端部は正面部１３と繋がり、他方の端部は背面部１４と繋がる。
【００４２】
同様に、ファスナー４が閉状態にある時に、右側面部１６におけるペンケース１の長手方向の一方の端部は底面部１１と繋がり、他方の端部は天面部１２と繋がる。ファスナー４が閉状態にある時に、右側面部１６におけるペンケース１の奥行き方向の一方の端部は正面部１３と繋がり、他方の端部は背面部１４と繋がる。
【００４３】
左側面部１５および右側面部１６は、互いにペンケース１の幅方向（第２方向）で対向する。ペンケース１の幅方向は、ペンケース１の長手方向および奥行き方向と略直交する（交差する）。左側面部１５および右側面部１６と、正面部１３および背面部１４とは、環状に繋がっており、ファスナー４の閉状態において、ペンケース１の長手方向と直交する平面内で第１収納空間Ｓ１を形成する。
【００４４】
ここで、ファスナー４の設けられ方、およびファスナー４の構成について説明する。
ファスナー４の全閉地点Ｐ１（第１地点）は、左側面部１５の正面部１３側の縁部において、ペンケース１の長手方向の中央部から底面部１１側の端部までの間にある。本実施形態では、全閉地点Ｐ１は、縫い目１３２及び縫い目１３１よりも底面部１１側にある。
【００４５】
ファスナー４は、全閉地点Ｐ１から、左側面部１５、天面部１２、および背面部１４を繋ぐ角部Ｃ１まで延びており、ペンケース１の長手方向に対して斜めに設けられる。ファスナー４は、図６に示すように、角部Ｃ１から、天面部１２および背面部１４の接続部分を経由し、換言すると天面部１２の背面部１４側の縁部を経由し、右側面部１６、天面部１２、および背面部１４を繋ぐ角部Ｃ２まで設けられる。
【００４６】
図４に示すように、ファスナー４の全開地点Ｐ２（第２地点）は、右側面部１６の正面部１３側の縁部において、ペンケース１の長手方向の中央部から底面部１１側の端部までの間にある、具体的には、縫い目１３２及び縫い目１３１よりも底面部１１側にある。右側面部１６の全開地点Ｐ２は、図４の紙面垂直方向であるペンケース１の幅方向において、左側面部１５の全閉地点Ｐ１と対向する。ファスナー４は、角部Ｃ２から全開地点Ｐ２まで延びており、ペンケース１の長手方向に対して斜めに設けられる。
【００４７】
図１に戻り、ファスナー４は、ケース本体部１００側に縫い付けられたレール４１と、蓋部２００側に縫い付けられたレール４２と、レール４１、４２に沿って移動するスライダ４３とを備える。スライダ４３は、左側面部１５の全閉地点Ｐ１へ向かって移動するとレール４１，４２をかみ合わせ、右側面部１６の全開地点Ｐ２へ向かって移動するとレール４１，４２を離す。
【００４８】
左側面部１５において、全閉地点Ｐ１の真下には、縫い目１５１がペンケース１の奥行き方向に亘って延びる。左側面部１５では、縫い目１５１より底面部１１側の領域が第１左側面部１５２となり、縫い目１５１とファスナー４の間の領域が第２左側面部１５３となり、ファスナー４より天面部１２側の領域が第３左側面部１５４となる。第１〜第３左側面部１５２〜１５４毎に芯材５３が設けられる。
【００４９】
右側面部１６は、左側面部１５と同様の構成を有する。すなわち、図４に示すように、全開地点Ｐ２の真下に縫い目１６１がある。縫い目１６１とファスナー４により、右側面部１６は、第１〜第３右側面部１６２〜１６４に分かれる。第１〜第３右側面部１６２〜１６４は、図４の紙面垂直方向であるペンケース１の幅方向において、第１〜第３左側面部１５２〜１５４とそれぞれ対向する。第１〜第３右側面部１６２〜１６４毎に芯材５３が設けられる。
【００５０】
ペンケース１の奥行き方向における左側面部１５および右側面部１６の長さより、ペンケース１の幅方向における正面部１３および背面部１４の長さの方が長い。
【００５１】
蓋部２００は、第２正面領域部１３４、天面部１２、第３左側面部１５４、第３右側面部１６４を含んで構成される。
【００５２】
ケース本体部１００は、ペンケース１から蓋部２００を除いた部分である。具体的に、ケース本体部１００は、第１正面領域部１３３、底面部１１、背面部１４、第１、第２左側面部１５２、１５３、第１、第２右側面部１６２、１６３を含んで構成される。
【００５３】
図９は、ペンケース１を寝かせた使用形態を示す斜視図である。
ペンケース１の内部に筆記具としてのペンや小物類を収納して、ペンケース１を寝かせた状態で使用する場合、まず、ペンケース１の載置面に背面部１４を接触させる。次に、ファスナー４を全開地点Ｐ２まで開く。続いて、蓋部２００の第２正面領域部１３４がケース本体部１００の第１正面領域部１３３に接触するまで、蓋部２００を底面部１１側に折り曲げる。この際、蓋部２００は、留め具１３５，１３６によって、開いた状態でケース本体部１００に留められる。これにより、ケース本体部１００からペンや小物類を取り出せる。
【００５４】
一方、ケース本体部１００にペンや小物類を入れたままで、レール４１，４２が重なる位置まで蓋部２００を移動させた後、ファスナー４を全閉地点Ｐ１まで閉めることで、ペンケース１内にペンや小物類をそのまま収納できる。
【００５５】
図１０は、ファスナー４の開状態におけるペンケース１の斜視図である。図１１は、ファスナー４の開状態におけるペンケース１の正面図である。図１２は、ファスナー４の開状態におけるペンケース１の背面図である。図１３は、ファスナー４の開状態におけるペンケース１の右側面図である。図１４は、ファスナー４の開状態におけるペンケース１の左側面図である。図１５は、ファスナー４の開状態におけるペンケース１の平面図である。図１６は、ファスナー４の開状態におけるペンケース１の底面図である。
【００５６】
ペンケース１の内部にペンや小物類を収納して、ペンケース１をペンスタンド形態として使用する場合にも、まず、ペンケース１の蓋部２００を開いて、蓋部２００をケース本体部１００に留める。具体的には、ファスナー４を全開地点Ｐ２まで開く。次に、図１３に示すように、蓋部２００の第２正面領域部１３４がケース本体部１００の第１正面領域部１３３に接触するまで、蓋部２００を底面部１１側に折り曲げる。
【００５７】
蓋部２００は、留め具１３５，１３６によって、開いた状態でケース本体部１００に留められる。蓋部２００が折り返される縫い目１３２は、ペンケース１の長手方向における正面部１３の中央部にある。そのため、蓋部２００を開けて蓋部２００をケース本体部１００に留めた状態では、蓋部２００の天面部１２とケース本体部１００の底面部１１とは、ほぼ同一平面内に位置する。
【００５８】
図１０に戻り、蓋部２００を開けた状態のペンケース１における底面部１１および天面部１２を、ペンケース１の載置面に接触させる。すると、ケース本体部１００は、背面部１４が起立し、上方に開口する起立状態となる。ケース本体部１００に収納されていたペンや小物類は、ケース本体部１００に立てかけられた状態となる（図１７参照）。使用者は、ケース本体部１００にペンや小物類を立てかけたり、ケース本体部１００からペンや小物類を取り出したりでき、ペンケース１をペンスタンドとして使用できる。この際、蓋部２００の天面部１２は、ペンケース１の載置面に接触し、ケース本体部１００の起立状態を安定させる。
【００５９】
このように、ファスナー４の開状態において、底面部１１がペンケース１の載置面に接触し、ケース本体部１００が起立するとともに、蓋部２００の天面部１２もペンケース１の載置面に接触するペンケース１の形態がペンスタンド形態である。
【００６０】
蓋部２００における第２正面領域部１３４の内面には、ペンケース１の幅方向に延びるバンド９１がある。図１１に示すように、ペンケース１の幅方向におけるバンド９１の両端部は、第２正面領域部１３４に縫い付けられている。バンド９１は、ゴム製であり弾性を有する。バンド９１と第２正面領域部１３４との間に消しゴムや付箋等の小物類を挟むことができる。また、バンド９１と第２正面領域部１３４との間に消しゴムや付箋等の小物類を挟んだ状態で蓋部２００を閉じることで、消しゴムや付箋等の小物類をそのままペンケース１の内部に収納できる。
【００６１】
ケース本体部１００にペンが入れられた状態、かつ、消しゴムや付箋等の小物類がバンド９１により蓋部２００の内面に固定された状態で、レール４１，４２が重なる位置まで蓋部２００を移動させ、ファスナー４を閉めることで、ペンや小物類をそのままペンケース１内に収納できる。
【００６２】
（本実施形態の効果）
本実施形態では、ペンケース１の内部にペンや小物類を収納した状態で、ファスナー４を開けて蓋部２００を折り曲げ、底面部１１および天面部１２をペンケース１の載置面に接触させるだけで、ペンケース１を容易にペンスタンド形態として使用できる。
【００６３】
本実施形態では、ペンケース１は、箱状のケースにファスナー４を設けただけなので、構成が簡素である。
【００６４】
本実施形態では、ペンケース１をペンスタンド形態として使用する時に、底面部１１および天面部１２がペンケース１の載置面に接触するので、ペンケース１が奥行き方向にも幅方向にも倒れづらくなり、ペンケース１の起立状態を安定させることができる。
【００６５】
本実施形態では、ペンケース１を寝かせた形態でも使用できるので、ペンケース１を寝かせた形態とペンスタンド形態とで使い分けることができ、便利である。
【００６６】
本実施形態では、留め具１３５，１３６によって蓋部２００をケース本体部１００に留めることができるので、ペンスタンド形態時に、蓋部２００の天面部１２がケース本体部１００の底面部１１に対してずれることが無くなり、ペンケース１の載置面に対して天面部１２および底面部１１をしっかりと接触させることができる。そのため、本実施形態では、ペンスタンド形態におけるペンケース１の起立状態をより安定させることができる。
【００６７】
本実施形態では、留め具１３５，１３６が磁石であるので、蓋部２００をケース本体部１００に近づけるだけで、磁気吸着力によって蓋部２００をケース本体部１００に留めることができる。
【００６８】
本実施形態では、天面部１２の芯材５３を天面部１２の重りとして用いるので、ペンスタンド形態におけるペンケース１の起立状態をより安定させることができる。
【００６９】
本実施形態では、ペンケース１の定形性を保つために、ペンケース１の各面部１１〜１６の内部に芯材５３が設けられている。一方、本実施形態では、正面部１３において、蓋部２００の折り返し部分には芯材５３が設けられていないので、蓋部２００を容易に折り曲げることができる。
【００７０】
本実施形態では、ペンケース１の使用時に外部からアクセスしやすい蓋部２００の内面にバンド９１が設けられ、バンド９１と蓋部２００の内面との間に小物類を挟むことができる。また、本実施形態では、バンド９１と蓋部２００の内面との間に小物類を挟んだ状態で蓋部２００を閉じることで、小物類をそのままペンケース１の内部に収納できる。従って、本実施形態では、ペンケース１の構成を簡素に保ったまま、小物類のペンケース１への出し入れの容易化を図ることができる。
【００７１】
（第２実施形態）
図１８は、ファスナー４の閉状態におけるペンケース１Ａの斜視図である。図１９は、ファスナー４の閉状態におけるペンケース１Ａの右側面図である。図２０は、ファスナー４の閉状態におけるペンケース１Ａの平面図である。図２１は、ファスナー４の開状態におけるペンケース１Ａの斜視図である。
【００７２】
本実施形態が前記実施形態と異なる点は、ファスナー４の経路、留め具１３５Ａ，１３６Ａの構成、本実施形態では仕切り部材８（図２１）を有する点、および本実施形態では小物入れ９１Ａ（図２１）を有する点である。本実施形態の他の構成は、前記実施形態と同様であるので、以下ではその説明を省略する。
【００７３】
本実施形態では、ファスナー４のスライダ４３は２つある。以下、ファスナー４の経路について説明する。
ファスナー４の全閉地点Ｐ３は、左側面部１５において、長手方向の中央部から底面部１１側の端部までの間にある。具体的には、全閉地点Ｐ３は、長手方向において縫い目１３１と縫い目１５１の間にあり、奥行き方向において、左側面部１５の正面部１３側の端部から離れた位置、かつ正面部１３寄りにある。
【００７４】
同様に、ファスナー４の全開地点Ｐ４は、図１９に示すように、右側面部１６において、右側面部１６の長手方向の中央部から底面部１１側の端部までの間にある。具体的には、全開地点Ｐ４は、長手方向において縫い目１３１と縫い目１５１の間にあり、奥行き方向において、右側面部１６の正面部１３側の端部から離れた位置、かつ正面部１３寄りにある。
【００７５】
ファスナー４は、全閉地点Ｐ３から、左側面部１５、天面部１２、および右側面部１６を経由して全開地点Ｐ４まで延びる。ファスナー４は、側面部１５、１６においてはペンケース１の長手方向に対して斜めに設けられる。
【００７６】
図２０に示すように、ファスナー４は、天面部１２において、正面部１３側の縁部と背面部１４側の縁部との間であって、正面部１３側の縁部および背面部１４側の縁部から離れた位置を通る。ファスナー４は、正面部１３側の縁部と背面部１４側の縁部との間において、背面部１４寄りの位置を通る。
【００７７】
図２１は、ファスナー４の開状態におけるペンスタンド形態のペンケース１Ａの斜視図である。
本実施形態では、ファスナー４が天面部１２の正面部１３側の縁部と背面部１４側の縁部との間を通るので、ファスナーの開状態では、天面部１２が第１天面部１２１と第２天面部１２２とに別れる。
【００７８】
第１天面部１２１は、蓋部２００を構成し、正面部１３（第２正面領域部１３４）に繋がる。第１天面部１２１は、ペンケース１Ａのペンスタンド形態時に載置面に接触し、ペンケース１Ａの自立を補助する。
【００７９】
本実施形態では、天面部１２１においてファスナー４が背面部１４寄りの位置を通るので、第１天面部１２１の奥行き方向の長さを十分にとれる。そのため、本実施形態では、第１天面部１２１の載置面への接触面積を大きくでき、ペンケース１Ａをしっかりと自立させることができる。
【００８０】
第１天面部１２１は、芯材５３として金属板５３０Ａ（図１９）を備え、重量が高められている。これにより、本実施形態は、ペンケース１Ａのペンスタンド形態時に、第１天面部１２１をペンケース１の載置面に安定した状態で接触させることができる。
【００８１】
図２２は、ファスナー４の開状態における寝かせた形態のペンケース１Ａの斜視図である。
第２天面部１２２は、背面部１４の先端部から立ち上がり、幅方向の一端側が第２左側面部１５３に繋がり、幅方向の他端側が第２右側面部１６３に繋がる。これら各要素１２２，１５３，１６３が背面部１４の縁部から立ち上がっているので、ペンケース１Ａの寝かせた形態時に、筆記具が背面部１４の外側に飛び出ることを防ぐことができる。
【００８２】
図１８に戻り、留め具１３５Ａ，１３６Ａの構成について説明する。
前記実施形態では、留め具１３５，１３６は、共に磁石であり、芯材５３における表装材５１側の面に貼付されていた。
本実施形態では、一方の留め具１３６Ａは磁石であるものの、他方の留め具１３５Ａは鉄板となっている。
【００８３】
留め具１３６Ａは、第２正面領域部１３４内にあり、平板状かつ円形である。第２正面領域部１３４の芯材５３Ａは、発泡樹脂シートであり、円形の穴部５３１を備える。留め具１３６Ａは、穴部５３１に収容される。これら留め具１３６Ａおよび芯材５３Ａは、第２正面領域部１３４の表装材５１（図８）下にある。
【００８４】
留め具１３５Ａは、第１正面領域部１３３の表装材５１下にあり、ペンケース１Ａの長手方向に長い矩形状である。留め具１３５Ａは、第１正面領域部１３３の芯材５３上に貼付される。第２正面領域部１３４が第１正面領域部１３３に接触するまで正面部１３を屈曲させた際に、留め具１３５Ａは、磁石である留め具１３６Ａと正対かつ近接する。留め具１３５Ａは、留め具１３６Ａに吸着し、第１正面領域部１３３および第２正面領域部１３４を留める。
【００８５】
続いて仕切り部材８について説明する。
図２１に示すように、正面部１３を屈曲させた際には、第１正面領域部１３３および背面部１４の間に第２収納空間Ｓ２が形成される。仕切り部材８は、第２収納空間Ｓ２内に面ファスナー７１、７２（図２３）、８２１（図２４），８３１（図２４）を用いて設置され、第２収納空間Ｓ２を幅方向に仕切る。背面部１４の内面において、第２収納空間Ｓ２の開口部側に面ファスナー７１（第１面ファスナー）が設けられる。面ファスナー７１は、背面部１４の幅方向に亘って設けられる。
【００８６】
図２３は、ファスナー４の開状態におけるペンケース１Ａの平面図である。
第１正面領域部１３３の内面において、第２収納空間Ｓ２の開口部側に面ファスナー７２が設けられる。面ファスナー７２は、第１正面領域部１３３の幅方向に亘って設けられ、面ファスナー７１と対向する。
【００８７】
図２４は、伸ばした状態の仕切り部材８を示す斜視図である。以下、伸ばした状態の仕切り部材８と平行な面内における２軸をＸ方向およびＹ方向とする。Ｘ方向およびＹ方向は互いに直交する。
仕切り部材８は、仕切り部８１および一対の腕部８２，８３を備える。仕切り部材８は、一対の腕部８２，８３が伸ばされた状態では平面視矩形である。
【００８８】
仕切り部８１は、Ｘ方向に長い矩形であり、第２収納空間Ｓ２を仕切る部位である。
【００８９】
腕部８２，８３は、仕切り部８１に対してＹ方向の両側にあり、Ｘ方向に長い矩形である。腕部８２，８３においてＸ方向の片側には面ファスナー８２１，８３１が設けられる。仕切り部８１と腕部８２，８３との間にはＸ方向に沿って折り線８２２，８３２がある。腕部８２，８３は、仕切り部８１に対し、折り線８２２，８３２に沿って折曲可能である。仕切り部８１および腕部８２，８３は、共に板状である。
【００９０】
仕切り部材８の面ファスナー８２１，８３１と、ケース本体部１００側の面ファスナー７１、７２とは、一方がオス（フック側）であり他方がメス（ループ側）になっておりくっつくことができる。
【００９１】
図２５は、折り曲げた状態の仕切り部材８を示す斜視図である。
仕切り部材８は、一対の腕部８２，８３が折り曲げられてＵ字状とされ、面ファスナー８２１，８３１が第２収納空間Ｓ２の開口部側に位置する姿勢で、第２収納空間Ｓ２内に挿入される（図２１）。そして、各面ファスナー８２１，８３１がケース本体部１００側の面ファスナー７１，７２にくっ付けられる（係合する）。これにより、仕切り部材８は、第２収納空間Ｓ２内に設置され、仕切り部８１によって第２収納空間Ｓ２を２つの空間に仕切る。
【００９２】
続いて小物入れ９１Ａについて説明する。
前記実施形態では、蓋部２００における第２正面領域部１３４の内面にはバンド９１（図１０）が設けられていた。バンド９１は、消しゴムや付箋等の小物類を挟むことができる。
本実施形態では、図２１および図２６に示すように、第２正面領域部１３４の内面には、消しゴムや付箋等の小物類を収納できる小物入れ９１Ａが形成されている。小物入れ９１Ａは、ネット９１１および第２正面領域部１３４の内面によって形成される。ネット９１１の幅方向の両端部および第１天面部１２１側の端部が第２正面領域部１３４に縫い付けられている。これにより、小物入れ９１Ａは、図２１、２６中上方向に開口する。
【００９３】
小物入れ９１Ａの開口部において、ネット９１１側および第２正面領域部１３４の内面側の両方に、不図示の面ファスナーが設けられている。両面ファスナーをくっ付けることにより、小物入れ９１Ａの開口部を閉じることができる。
【００９４】
ケース本体部１００にペンが入れられた状態、かつ、小物類が小物入れ９１Ａに収納された状態で、ファスナー４のレール４１，４２（図１８）が重なる位置まで蓋部２００を移動させ、ファスナー４を閉めることで、ペンや小物類をそのままペンケース１Ａ内に収納できる。
【００９５】
（本実施形態の効果）
本実施形態では、前記実施形態と同様、ファスナー４を開けて蓋部２００を折り曲げた際に、第１天面部１２１を載置面に接触させることができ、ペンケース１Ａをペンスタンド形態として利用できる。ペンケース１Ａは、箱状のケースにファスナー４を設けただけなので、構成が簡素である。
【００９６】
本実施形態では、ファスナー４が天面部１２における正面部１３側の縁部と背面部１４側の縁部との間を通過するので、ファスナー４の開状態では、背面部１４の先端部から第２天面部１２２が立ち上あがる。第２天面部１２２は、幅方向の両端が第２左側面部１５３および第２右側面部１６３に繋がる。これら各要素１２２，１５３，１６３が背面部１４の縁部から立ち上がっているので、ペンケース１Ａの寝かせた形態時に、各要素１２２，１５３，１６３によって、筆記具が背面部１４の外側に飛び出ることを防ぐことができる。
【００９７】
本実施形態によれば、第１天面部１２１内には、重りとして芯材５３である金属板５３０Ａが設けられているので、スタンド形態におけるペンケース１Ａの起立状態をより安定させることができる。  
【００９８】
本実施形態によれば、一方の留め具１３６Ａは磁石であるところ、他方の留め具１３５Ａは鉄板であるので、コストダウンできるとともに、留め具１３６Ａのいずれの極性が正面部１３側に来てもよく、留め具１３６Ａの向きによる付け間違いを無くすことができる。
【００９９】
本実施形態によれば、留め具１３６Ａを芯材５３Ａの中に埋め込むので、留め具１３６Ａによる表装材５１の盛り上がりを無くすことができ、意匠を良好にできる。
【０１００】
蓋部２００を折り曲げた際に、蓋部２００側の留め具１３６Ａがケース本体部１００（第１正面領域部１３３）と正対する位置は、ペンケース１Ａの長手方向において理想位置からずれることがある。本実施形態によれば、ケース本体部１００側の留め具１３５Ａは、長手方向に沿って配置されているので、蓋部２００を折り曲げた際に前記ずれが生じても蓋部２００側の留め具１３６Ａと正対することとなる。そのため、本実施形態によれば、蓋部２００の折り曲げ時に前記ずれが生じても、留め具１３５Ａ，１３６Ａによって第１正面領域部１３３および第２正面領域部１３４をしっかりと留めることができる。
【０１０１】
本実施形態によれば、仕切り部材８によって、第２収納空間Ｓ２を幅方向に仕切ることができるので、ペンケース１Ａの使い勝手を向上できる。本実施形態によれば、ペンケース１Ａの幅方向を長くしても、仕切り部材８によって筆記具を倒れにくくできるので、ペンケース１Ａの商品群として、幅方向に長いワイドサイズのものも展開できるようになる。
【０１０２】
本実施形態によれば、第２正面領域部１３４の内面に袋状の小物入れ９１Ａを設けたので、小物類が収納しやすくなる。
【０１０３】
（変形例）
天面部１２は、ペンスタンド形態にあるペンケース１の起立状態を安定させる形態であればよい。従って、天面部１２は、ペンケース１のペンスタンド形態時に、底面部１１と同一平面内に位置していなくてもよく、底面部１１に対して傾斜していてもよい。
【０１０４】
前記第２実施形態では、蓋部２００側の留め具１３６Ａが磁石であり、ケース本体部１００側の留め具１３５Ａが鉄板であった。しかし、蓋部２００側の留め具１３６Ａが鉄板であり、ケース本体部１００側の留め具１３５Ａが磁石であってもよい。留め具１３５Ａ，１３６Ａが両方とも磁石であってもよい。
【０１０５】
前記第２実施形態では、鉄板である留め具１３５Ａは、ペンケース１Ａの長手方向に沿って配置されていたが、幅方向に沿って配置されていてもよい。留め具１３５Ａは、ケース本体部１００（第１正面領域部１３３）において、蓋部２００を折り曲げた際に蓋部２００側の留め具１３６Ａと正対する位置に配置される。この場合、本変形例では、蓋部２００を折り曲げた際における留め具１３５Ａ、１３６Ａ間の正対位置が理想位置から幅方向にずれても、留め具１３５Ａ、１３６Ａ同士を正対させることができる。そのため、本変形例でも、第１正面領域部１３３および第２正面領域部１３４をしっかりと留めることができる。
【０１０６】
本実施形態は、その精神または主要な特徴から逸脱することなく、他の様々な形で実施できる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【０１０７】
１、１Ａ…ペンケース（筆記具ケース）、４…ファスナー、
１１…底面部、１２…天面部、１３…正面部、１４…背面部、
１５…第１側面部、１６…第２側面部、５３…芯材、 
７１，７２…第１面ファスナー、８１…仕切り部、８２、８３…腕部、
９１…バンド、１２１…第１天面部、１２２…第２天面部、
１３３…第１正面領域部、１３４…第２正面領域部、
１３５，１３６…留め具、５３０，５３０Ａ…天面部内の鉄板、 
８２１，８３１…第２面ファスナー、Ｃ１、Ｃ２…角部、 
Ｐ１…全閉地点（第１地点）、Ｐ２…全開地点（第２地点）、 
Ｓ１…第１収納空間、Ｓ２…第２収納空間。
【図１】
2018020968.tif 000003
【図２】
2018020968.tif 000004
【図３】
2018020968.tif 000005
【図４】
2018020968.tif 000006
【図５】
2018020968.tif 000007
【図６】
2018020968.tif 000008
【図７】
2018020968.tif 000009
【図８】
2018020968.tif 000010
【図９】
2018020968.tif 000011
【図１０】
2018020968.tif 000012
【図１１】
2018020968.tif 000013
【図１２】
2018020968.tif 000014
【図１３】
2018020968.tif 000015
【図１４】
2018020968.tif 000016
【図１５】
2018020968.tif 000017
【図１６】
2018020968.tif 000018
【図１７】
2018020968.tif 000019
【図１８】
2018020968.tif 000020
【図１９】
2018020968.tif 000021
【図２０】
2018020968.tif 000022
【図２１】
2018020968.tif 000023
【図２２】
2018020968.tif 000024
【図２３】
2018020968.tif 000025
【図２４】
2018020968.tif 000026
【図２５】
2018020968.tif 000027
【図２６】
2018020968.tif 000028
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
ファスナーの閉状態では長尺状かつ箱状であり内部に筆記具の第１収納空間が形成され、ファスナーの開状態ではスタンド形態として使用可能である筆記具ケースであって、
前記ファスナーの閉状態において、前記筆記具ケースの長手方向で対向する底面部および天面部と、
前記ファスナーの閉状態において、前記長手方向と直交する平面内で前記第１収納空間を形成し、第１方向で対向する正面部および背面部と、前記第１方向と直交する第２方向で対向する第１側面部および第２側面部と、を備え、
前記ファスナーは、前記第１側面部の前記長手方向の中央部から前記底面部側の端部までの間にある第１地点から、前記第１側面部および前記天面部を経由し、前記第２側面部の前記長手方向の中央部から前記底面部側の端部までの間にある第２地点まで形成され、
前記ファスナーの開状態において、前記正面部は、前記長手方向における中央部の屈曲領域を中心に屈曲可能であり、
前記筆記具ケースは、前記正面部を屈曲させた状態において前記天面部および前記底面部を載置面に接触させることでスタンド形態として使用可能であり、前記正面部を屈曲させた状態において前記背面部を前記載置面に接触させることで寝かせた形態として使用可能であり、
前記ファスナーは、前記天面部において、前記背面部側の縁部に沿って設けられ、
前記天面部は、芯材として金属板を備える
ことを特徴とする筆記具ケース。
【請求項２】
ファスナーの閉状態では長尺状かつ箱状であり内部に筆記具の第１収納空間が形成され、ファスナーの開状態ではスタンド形態として使用可能である筆記具ケースであって、
前記ファスナーの閉状態において、前記筆記具ケースの長手方向で対向する底面部および天面部と、
前記ファスナーの閉状態において、前記長手方向と直交する平面内で前記第１収納空間を形成し、第１方向で対向する正面部および背面部と、前記第１方向と直交する第２方向で対向する第１側面部および第２側面部と、を備え、
前記ファスナーは、前記第１側面部の前記長手方向の中央部から前記底面部側の端部までの間にある第１地点から、前記第１側面部および前記天面部を経由し、前記第２側面部の前記長手方向の中央部から前記底面部側の端部までの間にある第２地点まで形成され、
前記ファスナーの開状態において、前記正面部は、前記長手方向における中央部の屈曲領域を中心に屈曲可能であり、
前記筆記具ケースは、前記正面部を屈曲させた状態において前記天面部および前記底面部を載置面に接触させることでスタンド形態として使用可能であり、前記正面部を屈曲させた状態において前記背面部を前記載置面に接触させることで寝かせた形態として使用可能であり、
前記ファスナーは、前記天面部において、前記正面部側の縁部と前記背面部側の縁部との間であって前記正面部側の前記縁部および前記背面部側の前記縁部から離れた位置を通過し、
前記ファスナーの開状態では、前記天面部は、前記正面部に繋がり前記筆記具ケースのスタンド形態時に前記載置面に接触して前記筆記具ケースの自立を補助する第１天面部と、前記背面部の先端部から立ち上がり前記筆記具ケースの前記寝かせた形態時に前記筆記具が前記背面部の外側に飛び出ることを防ぐ第２天面部と、に別れ、
前記第１天面部は、芯材としての金属板を備える
ことを特徴とする筆記具ケース。
【請求項３】
ファスナーの閉状態では長尺状かつ箱状であり内部に筆記具の第１収納空間が形成され、ファスナーの開状態ではスタンド形態として使用可能である筆記具ケースであって、
前記ファスナーの閉状態において、前記筆記具ケースの長手方向で対向する底面部および天面部と、
前記ファスナーの閉状態において、前記長手方向と直交する平面内で前記第１収納空間を形成し、第１方向で対向する正面部および背面部と、前記第１方向と直交する第２方向で対向する第１側面部および第２側面部と、を備え、
前記ファスナーは、前記第１側面部の前記長手方向の中央部から前記底面部側の端部までの間にある第１地点から、前記第１側面部および前記天面部を経由し、前記第２側面部の前記長手方向の中央部から前記底面部側の端部までの間にある第２地点まで形成され、
前記ファスナーの開状態において、前記正面部は、前記長手方向における中央部の屈曲領域を中心に屈曲可能であり、
前記筆記具ケースは、前記正面部を屈曲させた状態において前記天面部および前記底面部を載置面に接触させることでスタンド形態として使用可能であり、前記正面部を屈曲させた状態において前記背面部を前記載置面に接触させることで寝かせた形態として使用可能であり、
前記正面部は、前記長手方向において前記屈曲領域を境界に、前記底面部側に位置する第１正面領域部と前記天面部側に位置する第２正面領域部とに別れ、
前記第１正面領域部および前記第２正面領域部の一方では、磁石と、前記磁石を収容する穴部を有する平板な芯材と、が表装材下にあり、
前記第１正面領域部および前記第２正面領域部の他方は、前記正面部が前記屈曲領域を中心に屈曲した時、前記磁石に吸着し前記第１正面領域部および前記第２正面領域部を留める鉄板が前記表装材下にある
ことを特徴とする筆記具ケース。
【請求項４】
請求項１または請求項２に記載の筆記具ケースにおいて、
前記正面部は、前記長手方向において前記屈曲領域を境界に、前記底面部側に位置する第１正面領域部と前記天面部側に位置する第２正面領域部とに別れ、
前記第１正面領域部および前記第２正面領域部の一方では、磁石と、前記磁石を収容する穴部を有する平板な芯材と、が表装材下にあり、
前記第１正面領域部および前記第２正面領域部の他方は、前記正面部が前記屈曲領域を中心に屈曲した時、前記磁石に吸着し前記第１正面領域部および前記第２正面領域部を留める鉄板が前記表装材下にあることを特徴とする筆記具ケース。
【請求項５】
請求項３において、
前記ファスナーは、前記天面部において、前記正面部側の縁部と前記背面部側の縁部との間であって前記正面部側の前記縁部および前記背面部側の前記縁部から離れた位置を通過し、
前記ファスナーの開状態では、前記天面部は、前記正面部に繋がり前記筆記具ケースのスタンド形態時に前記載置面に接触して前記筆記具ケースの自立を補助する第１天面部と、前記背面部の先端部から立ち上がり前記筆記具ケースの前記寝かせた形態時に前記筆記具が前記背面部の外側に飛び出ることを防ぐ第２天面部と、に別れることを特徴とする筆記具ケース。
【請求項６】
請求項１から請求項５のいずれか１つに記載の筆記具ケースにおいて、
前記正面部は、前記長手方向において前記屈曲領域を境界に、前記底面部側に位置する第１正面領域部と前記天面部側に位置する第２正面領域部とに別れ、
前記第１正面領域部の内面および前記背面部の内面には第１面ファスナーが設けられ、
前記正面部を屈曲させた際に前記第１正面領域部および前記背面部の間に形成される第２収納空間を前記第２方向に仕切る仕切り部材を備え、
前記仕切り部材は、前記第２収納空間を仕切る仕切り部と、前記仕切り部に対して折り曲がった状態で前記第２収納空間に収納される腕部と、前記腕部に設けられ、前記第１面ファスナーと係合する第２面ファスナーとを備える
ことを特徴とする筆記具ケース。
【国際調査報告】
2018020968.tif 000029
2018020968.tif 000030
2018020968.tif 000031